(57)【要約】 【課題】組立と分解が簡単で、また流体を供給源から包装体（容器）に連続的に充填することができる流体の吸引・送出しプランジヤー型ポンプを提案すること。【解決手段】弁本体１は、外筒２と、外筒の左右のフランジ機能を有する垂直支持部２２、２２にそれぞれ締付け手段５を介して一体的に結合される左右のポンプヘッド３、４とから成り、また弁本体の一方側に、供給源から送られてくる流体を吸引する第１吸引孔と第２吸引孔をそれぞれ形成すると共に、弁本体の他方側にシリンダー内の流体を送出す第１吐出孔と第２吐出孔を形成し、内弁の回転とプランジヤーの往復動の組み合わせにより、内弁内に流体を吸引しかつ内弁内から流体を吐出する流体の吸引・送出しプランジヤー型ポンプ。【選択図】  図２
2005214018.tif 000002
【特許請求の範囲】
【請求項１】
箱状の弁本体と、この弁本体内に流体を収容するシリンダーを有し、かつ、駆動源の駆動力により弁本体内を摺動回転する筒状内弁と、この内弁の前記シリンダーに内装されたピストンを有し、かつ、駆動源の駆動力により往復動するプランジヤーと、開口にシール部材とを備えた流体の吸引・送出しプランジヤー型ポンプに於いて、前記弁本体１は、外筒２と、外筒の左右のフランジ機能を有する垂直支持部２２、２２にそれぞれ締付け手段５を介して一体的に結合される左右のポンプヘッド３、４とから成り、また弁本体の一方側に、供給源から送られてくる流体を吸引する第１吸引孔と第２吸引孔をそれぞれ形成すると共に、弁本体の他方側にシリンダー内の流体を送出す第１吐出孔と第２吐出孔を形成し、内弁の回転とプランジヤーの往復動の組み合わせにより、第１吸引孔、内弁の一方側の第１開口から第１収容室内に流体が流れ込んだ時は、内弁の他方側の第２開口、弁本体の第２吐出孔を介して第２収容室から流体を送出し、一方、前記第２吸引孔、第２開口から第２収容室に流体が流れ込んだ時は、前記第１開口、第１吐出孔を介して第１収容室内の流体を送出す流体の吸引・送出しプランジヤー型ポンプ。
【請求項２】
請求項１に於いて、内弁６は、筒状第１弁６ａと、内弁用固着具６９を介して一体的に結合するパイプ状第２弁６ｂとから成ることを特徴とする流体の吸引・送出しプランジヤー型ポンプ。
【請求項３】
請求項１に於いて、内弁回転用及びプランジヤー往復動用の少なくとも一つの駆動源は、制御装置の記憶手段に格納された流体の属性情報に基づいて連続的に制御されることを特徴とする流体の吸引・送出しプランジヤー型ポンプ。
【請求項４】
請求項１に於いて、外筒の左右の垂直支持部には、それぞれ環状凹所２６が形成されていることを特徴とする流体の吸引・送出しプランジヤー型ポンプ。
【請求項５】
請求項１に於いて、ポンプヘッドは、環状取付け端部の端面に外筒２の環状凹所２６と同一の内径を有する環状凹所４６が形成され、ポンプヘッド４の環状凹所４６の内寸（奥行き）と外筒２の環状凹所２６の内寸（奥行き）を足した環状空間４７内にプランジャー７のフランジ部が収容されることを特徴とする流体の吸引・送出しプランジヤー型ポンプ。
【請求項６】
請求項１に於いて、弁本体の第１吸引孔と第１吐出孔は、一方のポンプヘッドに形成され、これに対して、弁本体の第２吸引孔と第２吐出孔は他方のポンプヘッドに形成され、これらの吸引孔及び吐出孔は、ポンプヘッドの嵌合孔３１の中心Ｏを基準として弧状に形成されていることを特徴とする流体の吸引・送出しプランジヤー型ポンプ。
【発明の詳細な説明】
【技術分野】
【０００１】
本発明は、気体、液体、加工食品、塗料、各種材料などの流体を単数又は複数の供給源から搬送手段を介して搬送中の包装体（容器）に充填する場合に使用される流体の吸引・送出しプランジヤー型ポンプに関する。
【背景技術】
【０００２】
従来技術の一例として特許第３２４５５８７号公報を記載する。この公報に記載には、加工食品の一例としてのスープの送出しプランジヤー型ポンプが記載されている。
【０００３】
このポンプは、具入りスープをポッパーに入れ、内弁が所定量回転すると、外弁に形成された上方の開口と内弁に形成された一つの吸引・送出し用開口とが連通してポッパーから内弁内に所定量の具とスープが流れ込み、次いで、内弁が所定量（１８０度）回転した後に、内弁に嵌入するプランジヤーが前進し、外筒の先端部下方に形成されたスープ取出し用開口と内弁の前記一つの吸引・送出し用開口とが連通して一つのコップに所望の具入りスープを取出すために利用されている。
【０００４】
したがって、上記公報には、「箱状の弁本体と、この弁本体内に流体を収容するシリンダーを有し、かつ、駆動源の駆動力により弁本体の内周面を摺動回転する筒状内弁と、この内弁の前記シリンダーに内装されたピストンを有し、かつ、駆動源の駆動力により往復動するプランジヤーとを備えた流体送出しプランジヤー型ポンプ」が記載されている。これは本発明の前提要件に相当する。
【０００５】
従来の一例は、一つのコップにスープ類を小分けして送出すには有効であるが、弁本体に一つの吸引孔と一つの吐出孔が形成されているだけであるため、流体の吸引・送出しに時間がかかり過ぎるという問題点があった。
【０００６】
すなわち、プランジヤーが前進し、外筒の取出し用開口から一つのコップに所望の具入りスープを取出した後に、プランジヤーと内弁とがそれぞれ駆動源の駆動力により逆の作動態様をした後でなければ、内弁の一つの開口は、弁本体の一つの吸引孔と連通状態にならないからである。
【０００７】
そこで、上記の基本的な構成（又は原理）を出発点として、加工食品、塗料、各種材料などの流動体を単数又は複数の供給源から搬送手段を介して搬送中の複数個の包装体（容器）に所定量順番に連続的に充填する場合に使用できる流体の吸引・送出しプランジヤー型ポンプの出現が要望されている。なお、プランジャー型ポンプの基本的な構成は、特許文献２、３に記載されている。
【特許文献１】特許第３２４５５８７号公報
【特許文献２】特許第３３１４１８６号
【特許文献３】特許第３３３４１１０号
【発明の開示】
【発明が解決しようとする課題】
【０００８】
本発明の第１の目的は、従来の一例を出発点として、弁本体や内弁の組立・分解が簡単であることである。第２の目的は、気体、液体、加工食品、塗料、各種材料などの流体を単数又は複数の供給源から包装体（容器）に所定量順番に連続的に充填することができる流体の吸引・送出しプランジヤー型ポンプを提案することである。第３の目的は、内弁がスムースにかつ安定的に回転することである。第４の目的は、シールの押圧を調整することができることである。第５の目的は、プランジヤーの往復動に相関して内弁内に流体を吸引しかつ内弁内から流体を吐出することである。これにより駆動源がストップせずに良好に作動することが可能となる。
【課題を解決するための手段】
【０００９】
本発明の流体の吸引・送出しプランジヤー型ポンプは、箱状の弁本体と、この弁本体内に流体を収容するシリンダーを有し、かつ、駆動源の駆動力により弁本体内を摺動回転する筒状内弁と、この内弁の前記シリンダーに内装されたピストンを有し、かつ、駆動源の駆動力により往復動するプランジヤーと、開口にシール部材とを備えた流体の吸引・送出しプランジヤー型ポンプに於いて、前記弁本体１は、外筒２と、外筒の左右のフランジ機能を有する垂直支持部２２、２２にそれぞれ締付け手段５を介して一体的に結合される左右のポンプヘッド３、４とから成り、また弁本体の一方側に、供給源から送られてくる流体を吸引する第１吸引孔と第２吸引孔をそれぞれ形成すると共に、弁本体の他方側にシリンダー内の流体を送出す第１吐出孔と第２吐出孔を形成し、内弁の回転とプランジヤーの往復動の組み合わせにより、第１吸引孔、内弁の一方側の第１開口から第１収容室内に流体が流れ込んだ時は、内弁の他方側の第２開口、弁本体の第２吐出孔を介して第２収容室から流体を送出し、一方、前記第２吸引孔、第２開口から第２収容室に流体が流れ込んだ時は、前記第１開口、第１吐出孔を介して第１収容室内の流体を送出すことを特徴とする。
【００１０】
上記構成に於いて、内弁６は、筒状第１弁６ａと、内弁用固着具６９を介して一体的に結合するパイプ状第２弁６ｂとから成ることを特徴とする。
【発明の効果】
【００１１】
（１）弁本体や内弁の組立・分解が簡単である。したがって、洗浄、メンテナン等の作業を短縮することができる。
（２）充填対象物に対して定量の流体を連続的に供給することができる。液体、気体を問わず、加工食品、塗料、材料などの流体を単数又は複数の供給源から包装体（容器）に連続的に供給（充填）することができる。
（３）プランジヤーの往復動に相関して内弁内に流体を吸引しかつ内弁内から流体を吐出することができる。これにより駆動源を良好に連続作動させることができる。
（４）締め付け手段により、シールをプランジヤーの軸方向に押し付けることができる。
（５）内弁がスムースにかつ安定的に回転する。
【発明を実施するための最良の形態】
【００１２】
以下、図１乃至図１７に示す本発明（利用発明も含む）を実施するための最良の形態により説明する。
【００１３】
Ｘは流体送出しプランジヤー型ポンプ、１は複数個の吸引孔と吐出孔を有する弁本体、２は弁本体の外筒、３は弁本体の一方のポンプヘッド、４は弁本体の他方のポンプヘッド、５は弁本体の外筒とポンプヘッドとを結合する複数本の締付け螺子、６は弁本体に回転自在に設けられ、かつ、シリンダーと案内突起を有する内弁、７は内弁内を往復動するピストンを有するプランジャー、８は内弁６の軸方向側の外壁面に固定的に取付けられた左右１対のシール、９は一方のポンプヘッド３に取付けられた流体用第１吸引管、１０は他方のポンプヘッド４に取付けられた流体用第２吸引管、１１は一方のポンプヘッド３に取付けられた流体用第１吐出管、１２は他方のポンプヘッド４に取付けられた流体用第２吐出管である。まず、これらの基本的な構成部材を中心に説明し、次に駆動源、制御装置などについて説明する。なお、符号１５は一方のポンプヘッド３の中央部に複数本の固着具１６を介して固定された断面ハット型のエンドキャップ、一方、１７は他方のポンプヘッド４の中央部に固着具１８を介して固定された軸受け機能を有する支持板である。
【００１４】
（１）弁本体１
図１及び図２を参照にして弁本体（弁箱）１を説明する。本実施例の弁本体１は、両端部に取付けフランジ部を有する外筒２と、この外筒２のフランジ部に複数個の締付け螺子５を介してそれぞれ固定される左右一対のポンプヘッド３、４とから成る。図２を基準にすると、弁本体１は、中央部の外筒２と、一方（左側）のポンプヘッド３と、他方（右側）のポンプヘッド４の三つの部品から成り、左右のポンプヘッド３、４は外筒２に対してフランジ部、締付け手段（例えば複数個の締付け螺子）５を介して着脱自在に結合（螺着）する。また本発明の左右のポンプヘッド３、４は、それぞれ吸引孔と吐出孔とを有する。
【００１５】
（２）外筒２
図３及び図４を参照にして外筒２を説明する。２１は取付けベース部で、この取付けベース部２１の両端部寄りの上面には、左右一対のフランジ機能を有する垂直支持部２２が連設している。２３は左右の垂直支持部２２、２２の対向内壁面に連設する外筒部分である。外筒部分２３は垂直支持部２２、２２に対して直交している。外筒部分２３の内径は、内弁６の外径を考慮して適宜に設定されている。左右の垂直支持部２２、２２は、それぞれ外筒部分２３の水平案内孔２４と連通する同一径の円形開口２５、２５を有する。
【００１６】
２６、２６は左右の垂直支持部２２、２２の前記開口２５、２５の周縁部にそれぞれ形成された環状の外（横）向き凹所である。凹所２６、２６の内径は開口２５、２５よりも大きく、また各凹所２６、２６の内寸（奥行き）は、同一又は異なっている。本実施例では、右側凹所２６の内寸が、後述する環状空間４７を設定するために若干大きい。
【００１７】
２７、２７は左右の垂直支持部２２、２２のフランジ部分に周方向に所要間隔を有して形成された複数個（例えば８個）の貫通孔である。これらの貫通孔２７、２７は、前記案内孔２４或いは円形開口２５の同心円上に形成されている。
【００１８】
（３）一方のポンプヘッド３
図５及び図６を参照にしてポンプヘッド３を説明する。ポンプヘッド３は断面Ｃ型形状に形成され、かつ、中心部にヘッド嵌合孔３１が形成されている。この嵌合孔３１は、内弁６の先端部の短筒状案内突起に嵌合する。本実施例の嵌合孔３１は、回転する内弁６の先端部を支持することから、軸受け機能を発揮する。また嵌合孔３１の内径と内弁６の先端部を案内するエンドキャップ１５のそれとは同一である。エンドキャップ１５は、固着具１６を介してポンプヘッド３の外壁面３ａの垂直部分に固定される。
【００１９】
３２はポンプヘッド３の傾斜部分の上方中央部に形成された長孔状（例えば半円弧状）の第１吸引孔である。図６はポンプヘッド３の内壁面３ｂ側から見た説明図である。この図６の嵌合孔３１の中心Ｏを基準にすると、第１吸引孔３２の円弧方向の長さは略９０度である。
【００２０】
一方、３３はポンプヘッド３の傾斜部分の下中央部に形成された長孔状（例えば半円弧状）の第１吐出孔である。この第１吐出孔３３は、前記嵌合孔３１の中心Ｏを基準にすると、第１吸引孔３２と上下対称（線対称）に形成されている。
【００２１】
３４はポンプヘッド３の環状取付け端部に所要間隔を有して形成された複数個（８個）の締付け螺子５用メネジで、これらのメネジ３４は外筒２の締付け螺子５用貫通孔２７と符合する。３５はポンプヘッド３の内壁面３ｂにカップ（御椀）状に形成されたシール用嵌合凹所で、この嵌合凹所３５は、本実施例ではラッパ状シール８の外壁面８ａにフイット（適合）するように環状取付け端部の端面３ｂから嵌合孔３１に向かって次第に収束している。したがって、ポンプヘッド３の嵌合凹所３５は、一方のシール８の形状に対応して任意に設計変更することができる。
【００２２】
（４）他方のポンプヘッド４
他方のポンプヘッド４の構成は、一方のポンプヘッド３の構成と略同一である。図２及び図７を参照にしてポンプヘッド４を説明する。前述したように、１０は流体用の第２吸引管である。この第２吸引管１０は第１吸引管９と同一又は異なる供給源の流体を、シール８を介して内弁６に案内する。図示しない供給源が同一の場合に於いて、第１吸引管９と第２吸引管１０は、一つの供給ライン上で分岐している。
【００２３】
１２は流体用の第２吐出管で、この第２吐出管１２は、例えば流体用の第１吐出管１１と一つの吐出ライン上で合流する。４ａはポンプヘッド４の外壁面、４ｂはその内壁面、４１は嵌合孔、４２は長孔状の第２吸引孔、４３は第２吸引孔に対して対称的な位置にある長孔状の第２吐出孔である。４４はポンプヘッド４の環状取付け端部に所要間隔を有して形成された複数個（８個）の締付け螺子５用メネジで、これらのメネジ４４は外筒２の貫通孔２７と符合する。４５はポンプヘッド４の内壁面４ｂにカップ（御椀）状に形成されたシール用嵌合凹所で、この嵌合凹所４５は、他方のラッパ状シール８の外壁面８ａにフイット（適合）するように環状取付け端部付近から嵌合孔４１に向かって次第に収束している。
【００２４】
ところで、ポンプヘッド４は、環状取付け端部の端面４ｂに外筒２の環状凹所２６と同一の内径を有する環状凹所４６が形成されている点で、一方のポンプヘッド３の構成と若干異なっている。図２で示すように、ポンプヘッド４の環状凹所４６の内寸（奥行き）と外筒２の環状凹所２６の内寸（奥行き）を足した環状空間４７内にプランジャー７の結合フランジ部が収容される。
【００２５】
（５）締付け手段５
図２で示すように、締付け手段の一例としての締付け螺子５は、外筒２の左右の貫通孔２７にそれぞれ嵌挿され、かつ、左右のポンプヘッド３、４のメネジ３４にそれぞれ螺合する。
【００２６】
締付け螺子５は、複数個に分割された横長の弁本体（弁箱）１を結合する手段であると共に、ポンプヘッド３、４と内弁６の軸方向側の外壁面との間にそれぞれ介在するシール８、８を押し付ける手段である。
【００２７】
したがって、締付け螺子５の締付け調整により、回転内弁６のシール８、８とポンプヘッド３、４の内壁面との摩擦力を最適な値に調整することができる。また、回転内弁６の複数のシールが磨耗しても、締付け螺子の締付け調整５により、流体の漏れを簡単に防止することができる。
【００２８】
なお、締付け手段としては、緊縮型クランプであっても良い。例えば蝶ねじを有するリング状クランプ（公知）でも良い。この場合には、右のポンプヘッド３、４は、直接又は間接的にクランプを介して締付けられる。
【００２９】
（６）内弁とプランジャー
内弁６は弁本体１に駆動源（例えば駆動モータ）の駆動力により回転することができるように設けられている。また、内弁６に組み込まれたプランジャー７は、弁本体１に前記駆動源と同一又は異なる第２駆動源の駆動力に軸方向に往復動するように設けられている。駆動源の回転運動を伝達する歯車郡並びに回転運動を往復運動に変換する機構（クランク、ビニオンとラックなど）は、設計上任意に採用される。また、内弁６をスムースに回転させるための軸受け手段も設計上任意に採用される。なお、駆動源、制御装置等については後述する。
【００３０】
プラグに相当する内弁６は、本実施例では、一方のポンプヘッド３に形成した長孔状の第１吸引孔３２及び第１吐出孔３３に対してそれぞれ連通可能な長孔状の第１開口６１を有する一方のシリンダー状第１弁６ａと、この第１弁６ａの内端部に周設された本体フランジ部６２に係合状態に接合する内端フランジ部６３を有する他方のパイプ状第２弁６ｂとから成る。第１弁６ａと第２弁６ｂが結合するとシリンダーが形成される。
【００３１】
本実施例では、前記第２弁６ｂも第１弁６ａと同様に、他方のポンプヘッド４に形成した長孔状の第２吸引孔４２及び第２吐出孔４３に対してそれぞれ連通可能な長孔状の第２開口６４を有する。このように本実施例の内弁６は、同一形状の連通可能な単数の長孔状の開口６１．６４をそれぞれ有する分割・結合型の第１弁６ａ、第２弁６ｂを備えている。
【００３２】
ところで、第１弁６ａと第２弁６ｂの結合態様に関し、本実施例では、プランジヤー７のロッド７１の先端部寄りの部位に設けられたピストン７２を基準にして弁本体の左右にそれぞれ対設する吸引管９、１０、吐出管１１、１２等に流体を連続的に流す（吸引、吐出）ために、内弁６の左側の第１開口６１は上方に設けられているのに対して、内弁６の右側の第２開口６４は下方に設けられている。
【００３３】
そこで、図８乃至図１０を参照にして第１弁６ａを説明する。前述したように、符号６１は第１開口、６２は係合フランジ部である。しかして、６５はポンプヘッド３の嵌合孔３１に嵌合支持される短筒状案内突起で、この案内突起６５は内弁６の先端軸部に相当する。案内突起６５はプランジャー７のロッド７１を案内する機能を有する。
【００３４】
６６ａは案内突起６５の後端部に傘状に連設する軸方向外壁部で、この軸方向外壁部６６ａの適宜箇所に前記第１開口６１が弧状に形成されている。６６ｂは両端部開口の半径方向外壁部（シリンダー形成部分）で、この半径方向外壁部６６ｂの内端部に前記係合フランジ部６２が外方向に周設されている。係合フランジ部６２の外径寸法は、外筒２の環状凹所２７の内径寸法を考慮して設計されている。
【００３５】
ところで、本実施例では、前記傘状の軸方向外壁部６６ａにシール８を取付けるために、固着具６７用の取付け孔（メネジ）６８が複数個設けられている。取付け孔６８は係合フランジ部６２の周方向に８個所定間隔を有して形成されている。取付け孔６８は、シール８の取付け如何によっては、複数個の係合突起又は係合溝となる。
【００３６】
次に、図１１及び図１２を参照にして第２弁６ｂを説明する。前述したように、符号６３は係合フランジ部６２に面接触する内端フランジ部、６４は第１開口６１と同一形状の第２開口である。ここで、第２弁６ｂは第１弁６ａと同一なので、同様の符号を付して簡単に説明する。
【００３７】
しかして、６５Ａは内弁６の後端部に相当する案内突起で、この案内突起６５Ａは先端部の案内突起６５によりも長い。案内突起６５Ａもプランジャー７のロッド７１を案内する機能を有すると共に、突出端部には図示しない動力伝達機構の歯車が適宜に固定される。６６Ａは傘状の軸方向外壁部で、この外壁部６６Ａの外壁面に他方のシール８を取付けるために、固着具６７Ａ用の取付け孔（メネジ）６８Ａが複数個設けられている。
【００３８】
第１弁６ａと第２弁６ｂとが係合フランジ部６２、内端フランジ部６３及び複数個の内弁用固着具６９を介して一体的に係合すると、内弁６の内部は所定の容積となる。内弁６の内部には、例えばトマトケチップ、マヨネーズ、アイスクリーム、スープ類などの流体が流れ込む。
【００３９】
（７）シール
シールは、周縁部が円形に形成され、また中心部に内弁６の案内突起（６５、６５Ａ）が嵌挿する中心孔８１を有し、さらに、前記中心孔８１を同心円とする１又は2個の弧状通孔と複数個の取付け部を有している。
【００４０】
本実施例では、一方のシール８と他方のシール８は同一構造（内弁用中心孔、複数個の取り付け部、周方向に形成された流体制御用の一つの弧状開口がそれぞれ形成されている。）なので、ここでは一方のシール８のみ説明し、他方のシール８については同一の符号を付して重複説明を省略する。本実施例のシール８は、内弁６の軸方向外壁部６６ａ（６６Ａ）の外壁面に内弁６の案内突起６５（６５Ａ）を嵌挿させた状態で固定的に取付けられる。
【００４１】
図２で示すように、シール８は弁本体１のポンプヘッド３（４）の御椀状内壁面３ｂ（４ｂ）と内弁６の傘状軸方向外壁部６６ａ（６６Ａ）との間に介在し、内弁６と共に回転する。したがって、シール８はポンプヘッド３（４）の湾状内壁面３ｂ（４ｂ）に対して摺接する。
【００４２】
図１３及び図１４で示すように、キャップ状または傘状のシール８の中心部には、内弁６の案内突起６５（６５Ａ）に嵌合する中心孔８１が形成されている。また、中心孔を有するシール８は、内弁６の傘状軸方向外壁部６６ａ（６６Ａ）の外壁面の形状に対応してラッパ状に形成されている。またシール８の適宜箇所には、内弁６の開口６１（６４）と連通すると共に、弁本体１の吸引孔及び吐出孔に選択的に連通可能な長孔状の通孔８２が形成されている。シール８の周縁部は円形である。
【００４３】
シール８の形態や通孔８２は、発明の目的を達成する限りにおいて任意に設計変更可能である。前述したように、本実施例のシール８は、締付け螺子５を締付けると、ポンプヘッド３（４）の内壁面３ｂ（４ｂ）を介して内弁６を往復動するプランジャー７の軸方向（内弁の外壁面）に押圧される。
【００４４】
ところで、シール８には内弁６に取付けるための固着具６７（６７Ａ）用の貫通小孔（取付け部）８３が周方向に複数個形成されている。貫通小孔８３は、内弁６の壁面が複数個の係合穴である場合には、複数個の係合突起であっても良い。シール８は内弁６の外壁面に取付けられているが、ポンプヘッド３（４）の内壁面３ｂ（４ｂ）に取付けても良い。この場合には内壁面３ｂ（４ｂ）にシール８の取付け部８３用の取付け穴を形成する。
【００４５】
（８）駆動源、制御装置など
図１５は、本発明のポンプＸを利用した流体供給（搬送）装置Ｙの一例を示す。この図１５を参照にして駆動源、制御装置等を説明する。
【００４６】
９１はポッパー、タンク等の供給源で、この供給源９１には、加工食品、塗料、各種材料などの流体９２が投入される。加工食品の具体例は、豆乳、トマトケキャップ、マヨネーズ、スープ類、アイスクリームなどである。塗料の具体例はペンキなどである。材料の具体例としては化粧用クリーム、ペースト状歯磨きなどである。
【００４７】
供給源９１は単数又は複数である。この実施例では一つのポッパー９１から吸引案内導管９３が左右に分岐している。案内導管９３は継手を介して弁本体１の第１吸引管９及び第２吸引管１０にそれぞれ連結されている。
【００４８】
一方、９４は弁本体１の第１吐出管１１及び第２吐出管１２にそれぞれ連結された左右の吐出案内導管で、この吐出案内導管９４は途中で合流し、かつ、搬送手段９５上の充填対象物（缶、瓶、紙などの容器）９６まで延伸している。
【００４９】
９７は第１駆動源で、この第１駆動源９７の駆動力は、第１駆動源９７の出力軸に固定した駆動歯車、内弁６の後端部側の案内突起６５Ａに固定した従動歯車などの動力伝達手段９８を介して内弁６に伝達される。
【００５０】
９９は第２駆動源で、この第２駆動源９９の駆動力は、第２駆動源９９の出力軸に固定した駆動歯車、プランジャー７のロッド７１の後端部に固定したラック、クランクなどの動力変換機構１００を介してプランジャー７に伝達される。なお、内弁６及びプランジャー７の駆動源は設計如何により共用可能である。
【００５１】
１０１は前記第１駆動源９７及び第２駆動源９９の回転数を制御する制御装置で、この制御装置１０１は、記憶手段１０２に格納されている駆動源制御用プログラムに基づいて演算処理する。駆動源制御用プログラムは、例えば流体の属性情報（例えば粘性力、気体、液体、具の有無など）と内弁の回転数とプランジャーの往復動量に関する情報（例えば吸引・吐出流量の波形情報）を記憶媒体１０３に記録し、該記憶媒体１０３の流体属性情報・回転数・往復動量情報は、制御装置１０１のドライブにより記憶手段１０２にインストールされる。インストールされた流体の属性情報と回転数・往復動量情報は、ポンプの適宜箇所、吸引管、吐出管等に取付けられた図示しない流量、圧力等の検知手段の信号によって関連付けられる。１０４は制御装置、表示装置１０５等に適宜に設けられた入力手段である。
【００５２】
（９）本発明の主要部
図１６及び図１７を参照にして本発明の主要部を説明する。前述したように、本発明の流体の吸引・送出しプランジヤー型ポンプＸは、箱状の弁本体１と、この弁本体内に流体９２を収容するシリンダー８５を有し、かつ、第１駆動源９７の駆動力により弁本体１の外筒２内周面２ａを摺動回転する筒状内弁６と、この内弁６の前記シリンダー８５に内装されたピストン７２を有し、かつ、第１駆動源９７又は第２駆動源９９の駆動力により往復動するプランジヤー７と、左右あるいは上下の開口にシール部材８、８とをそれぞれ備えている。
【００５３】
しかして、本発明の実施例は、前記弁本体１のポンプヘッド３，４の方向に往復動する前記ピストン７２を基準として前記シリンダー８５内を第１収容室８６と第２収容室８７とに区分し、また前記ピストン７２を基準として弁本体１の一方側（例えば上方）に同一又は異なる供給源９１から送られてくる流体９２を吸引する第１吸引孔３２と第２吸引孔４２とをそれぞれ形成すると共に、他方側（例えば下方）にシリンダー８５内の流体９２を送出す第１吐出孔３３と第２吐出孔４３とを形成している。
【００５４】
そして、弁本体１にシリンダー８５が内装された筒状内弁６の回転と、この内弁６内の収納室８６、８７を摺動するピストン７２を備えたプランジヤーの往復動の組み合わせにより、内弁６の左右いずれかに流体９２を吸引し、かつ、内弁６の左右いずれかから流体９２を吐出する。
【００５５】
図１６は、内弁６が第１駆動源９７の駆動力により、例えば１８０度回転し、その結果、弁本体１側の第１吸引孔３２に内弁６（第１弁６ａ）の第１開口６１が連通すると共に、内弁６（第２弁６ｂ）の第２開口６４が弁本体１の第２吐出孔４３と連通する。この時は弁本体１の第２吸引孔４２と第１吐出孔３３は閉じている。
【００５６】
上記に於いて、プランジヤー７が矢印Ａ方向（後退方向）に移動すると、左上方の第１吸引孔３２、第１開口６１から第１収容室８６内に流体９２が流れ込む反面、第２収容室８７内の流体９２がこれに相関して右下方の第２開口６４、第２吐出孔４３を介して送出される。
【００５７】
これに対して図１７は、内弁６が第１駆動源９７の駆動力により１８０度回転し、かつ、プランジヤー７が矢印Ｂ方向（前進方向）に移動した場合である。この場合には、図１６の場合とは逆になり、弁本体１側の第２吸引孔４２に内弁６（第２弁６ｂ）の第２開口６４が連通すると共に、内弁６の第１開口６１が弁本体１の第１吐出孔３３と連通する。
【００５８】
したがって、プランジヤー７が前進するのに相関して前記第２吸引孔４２、第２開口６４から第２収容室８７に流体９２が流れ込むと同時に、第１開口６１、第１吐出孔３３から第１収容室８６内の流体が送出される。
【実施例】
【００５９】
弁本体１側の第１吸引孔３２、第２吸引孔４２、第１吐出孔３３、第２吐出孔４３と、これらの孔と選択的に連通可能な内弁側の第１開口６１、第２開口６４は、プランジヤー７の軸方向（斜め方向も含む）に形成されているが、設計如何によってプランジヤー７の半径方向（プランジヤーと直交する方向）に形成しても良い。また、弁本体１側の吸引孔及び吐出孔に対する内弁６の開口（６１．６４）の連通状態は任意に設計できる。
【産業上の利用可能性】
【００６０】
本発明は、気体、液体を問わず、流体を吸引・吐出するのに利用することができる。液体の場合、トマトケチップ、マヨネーズ、アイスクリーム、具入りスープ類、ペンキ、化粧用クリーム、ペースト状歯磨きなどの流体あるいは半流動体を供給源から充填対象物（容器）へと圧送する場合に適合する。
【図面の簡単な説明】
【００６１】
図１乃至図１７は本発明の一実施例を示す各説明図。
【図１】ポンプの外観上の斜視図。
【図２】ポンプの内部構造を示す概略断面説明図。
【図３】弁本体の外筒の概略断面説明図。
【図４】外筒の側面の説明図。
【図５】一方のポンプヘッドの概略断面説明図。
【図６】一方のポンプヘッドの内壁面から見た説明図。
【図７】他方のポンプヘッドの概略断面説明図。
【図８】内弁（第１弁）の斜視図。
【図９】第１弁の軸方向外壁面から見た説明図。
【図１０】第１弁の概略断面説明図。
【図１１】内弁（第２弁）の内壁面から見た説明図。
【図１２】第２弁の概略断面説明図。
【図１３】シールの斜視図。
【図１４】反対側から見たシールの斜視図。
【図１５】流体供給（搬送）装置の一例を示す概略説明図。
【図１６】シリンダーの第１収納室に流体が流れ込み、一方、第２収納室から流体が送出された説明図。
【図１７】シリンダーの第２収納室に流体が流れ込み、一方、第１収納室から流体が送出された説明図。
【符号の説明】
【００６２】
Ｘ…流体送出しプランジヤー型ポンプ、１…弁本体、２…弁本体の外筒、２ａ…内周壁、２１…取付けベース部、２２…垂直支持部、２３…外筒部分、２６…環状凹所、２７…貫通孔、３…一方ポンプヘッド、３ａ…内壁面、３ｂ…外壁面、３１…嵌合孔、３２…第１吸引孔、３３…第１吐出孔（送出し孔）、３４…メネジ、３５…凹所、４…他方のポンプヘッド、４ａ…内壁面、４ｂ…外壁面、４１…嵌合孔、４２…第２吸引孔、４３…第２吐出孔（送出し孔）、４４…メネジ、４５…嵌合凹所、４６…環状凹所、４７…環状空間、５…締付け螺子、６…内弁、６ａ…第１弁、６ｂ…第２弁、６１…第１開口、６２…結合フランジ部、６３…内端フランジ部、６４…第２開口、６５、６５Ａ…案内突起、６６、６６Ａ…軸方向外壁部、６７、６７Ａ…固着具、６８、６８Ａ…取付け孔、６９…内弁用固着具、７…プランジャー、７１…ロッド、７２…ピストン、８、８Ａ…シール、８ａ…外壁面、８１…中心孔、８２…通孔、８３…貫通孔、９…流体用の第１吸引管、１０…流体用の第２吸引管、１１…流体用の第１吐出管、１２…流体用の第２吐出管、１５…エンドキャップ、１６、６９…固着具、８５…シリンダー、８６…第１収容室、８７…第２収容室、９１…供給源、９２…流体、９３…吸引案内導管、９４…吐出案内導管、９５…搬送手段、９６…充填対象物、９７…第１駆動源、９８…動力伝達手段、９９…第２駆動源、１００…動力変換機構、１０１…制御装置、１０２…記憶手段、１０３…記憶媒体。
【図１】
2005214018.tif 000003
【図２】
2005214018.tif 000004
【図３】
2005214018.tif 000005
【図４】
2005214018.tif 000006
【図５】
2005214018.tif 000007
【図６】
2005214018.tif 000008
【図７】
2005214018.tif 000009
【図８】
2005214018.tif 000010
【図９】
2005214018.tif 000011
【図１０】
2005214018.tif 000012
【図１１】
2005214018.tif 000013
【図１２】
2005214018.tif 000014
【図１３】
2005214018.tif 000015
【図１４】
2005214018.tif 000016
【図１５】
2005214018.tif 000017
【図１６】
2005214018.tif 000018
【図１７】
2005214018.tif 000019